(57)【要約】【課題】            芯や電極体を取り外すことなく芯と電極との寸法を調整することができる点火装置の構造に関する。【解決手段】        芯収容筒３の間隙に芯４を装着し、芯４の側面と対向する芯外筒２に点火用窓孔８を設け、点火用窓孔８から芯４にのぞませて放電電極５と対向電極６を取付け、放電電極５の外周を覆う絶縁体７はブラケット９によって芯外筒２の外側に配置した受け縁２ａの上面に取付ける。放電電極５はＬ字状に折り曲げて先端を上昇した芯４の上端より下方に位置し、対向電極６は放電電極５の先端と対向するように湾曲部６ｂを構成する。ブラケット９には絶縁体７を回転可能に保持する係止部材１０を備え、絶縁体７をブラケット９によって取付けた状態のまま回転して放電電極５の先端の高さを変更して、芯４と電極とを最適位置に調整するものである。【選択図】          図１
2015040648.tif 000002
【特許請求の範囲】
【請求項１】
芯内筒１と芯外筒２とで構成する芯収容筒３の間隙に上下動自在に装着した芯４と、上昇して露出した芯４の芯外筒２側の側面に対向する位置に配置した放電電極５と、芯外筒２側の放電電極５の付近に配置した対向電極６と、対向電極６とは絶縁状態を形成するように放電電極５の外周を覆う絶縁体７とを設け、
前記芯外筒２の上部は上昇した芯４との間に間隙を形成して、この部分の芯外筒２に点火用窓孔８を設け、該点火用窓孔８より下方に配置して芯外筒２の外側へ広がる受け縁２ａを設け、
前記放電電極５は絶縁体７を前記点火用窓孔８に嵌合しながら先端を前記芯４にのぞませて取付け、前記絶縁体７はブラケット９によって前記受け縁２ａの上面に取り付けられ、前記放電電極５と前記対向電極６との間で放電火花を飛ばして前記芯４に点火する石油燃焼器において、
前記放電電極５はＬ字状に折り曲げて先端を上昇した前記芯４の上端より下方に位置し、
前記対向電極６は前記放電電極５の側方に取り付け、前記点火用窓孔８を貫通する水平部６ａと、該水平部６ａから上方へ伸ばして前記放電電極５の上方へ向けて湾曲した湾曲部６ｂとで構成し、該湾曲部６ｂが前記放電電極５の先端と対向するように設けると共に、
前記ブラケット９には前記絶縁体７を回転可能に保持する係止部材１０を備え、絶縁体７が前記ブラケット９に取り付けられた状態のまま前記放電電極５と絶縁体７とが回転すると共に、前記絶縁体７は回転を止めた位置で前記係止部材１０によって保持され前記放電電極５と前記対向電極６と芯４との距離を最適距離に調整することを特徴とする石油燃焼器の放電式点火装置。
【請求項２】
前記絶縁体７の後部の外周面には係止面７ａを設け、前記係止部材１０は前記ブラケット９に取り付ける弾性素材からなる可動体１０ａで構成し、
該可動体１０ａは弾性力によって前記係止面７ａを押圧して前記絶縁体７を前記ブラケット９に保持し、
前記絶縁体７の回動時に前記可動体１０ａは係止面７ａから離開方向に変形し、絶縁体７の回転を止めた位置で前記可動体１０ａの弾性力によって前記係止面７ａを押圧して保持し、前記放電電極５の位置を固定することを特徴とする請求項１記載の石油燃焼器の放電式点火装置。
【請求項３】
前記絶縁体７の外周面を多角形状に形成して前記係止面７ａを構成することを特徴とする請求項２または３に記載の石油燃焼器の放電式点火装置。
【発明の詳細な説明】
【技術分野】
【０００１】
この発明は、放電を利用して芯に点火する石油燃焼器の放電式点火装置に関する。
【背景技術】
【０００２】
石油燃焼器の点火装置として、乾電池を電源として、点火用の放電電極と対向電極とを使って放電火花を発生させて芯に点火するものがある。電源に乾電池を使用するものでは、放電による火花が弱く、電源電圧が大きく変動する問題がある。そのため、放電電極は芯の側面に接触もしくは少し埋まるように配置して、芯と電極との寸法を最適位置に維持するための工夫が必要である。
【０００３】
このような問題点を解決するため、従来は放電電極の周囲に絶縁体を配置し、絶縁体を使って芯外筒の外方に取り付け固定しており、芯外筒には点火用窓孔を設け、点火用窓孔に絶縁体を挿通しているが、このとき、点火用窓孔で絶縁体の位置決めを行うことで、芯と放電電極との寸法を最適位置に維持して点火性能を維持したものがある（特許文献１参照）。
【先行技術文献】
【特許文献】
【０００４】
【特許文献１】特開平６−２０１１２７号  公報
【発明の概要】
【発明が解決しようとする課題】
【０００５】
放電電極を位置決めする絶縁体は寸法精度が要求されるが、絶縁体は碍子を使用するのが一般的であり、碍子は製造工程における寸法誤差が生じやすいので、寸法管理が難しくコストアップにつながる課題がある。
【０００６】
また、芯は繊維質で形成されているから正確な寸法に作ることが難しく芯の先端の高さは製品による個体差が生じやすいものであり、放電電極が正確に取り付けてあっても芯との寸法に多少のバラつきが生じてしまうことがある。
放電火花の飛ぶ方向は、両電極間の最短距離であり、芯の先端の高さが変化してしまうと放電火花の方向では芯に着火しない可能性がある。安定した点火性能を得るために芯や電極の位置を調整する必要があるが、調整が難しく、芯や電極を取り外して調整作業を行わなければならないこともあり、手間がかかり作業効率が悪かった。
【０００７】
また、燃焼時間が経過すると、芯の高さが変化したり、タールが付着して、芯の表面に微妙な変形が発生することがあり、それまで最適だった芯と電極の寸法にズレが生じ、放電しても火花が芯から離れて着火しなかったりすることがある。この場合、芯の空焼きや芯交換などで改善を試みるが、芯の空焼きや芯交換を行ったあとは芯と電極との距離を再調整する必要があり、手間がかかるものであった。
【課題を解決するための手段】
【０００８】
この発明は上記の課題を解決するもので、芯内筒１と芯外筒２とで構成する芯収容筒３の間隙に上下動自在に装着した芯４と、上昇して露出した芯４の芯外筒２側の側面に対向する位置に配置した放電電極５と、芯外筒２側の放電電極５の付近に配置した対向電極６と、対向電極６とは絶縁状態を形成するように放電電極５の外周を覆う絶縁体７とを設け、前記芯外筒２の上部は上昇した芯４との間に間隙を形成して、この部分の芯外筒２に点火用窓孔８を設け、該点火用窓孔８より下方に配置して芯外筒２の外側へ広がる受け縁２ａを設け、前記放電電極５は絶縁体７を前記点火用窓孔８に嵌合しながら先端を前記芯４にのぞませて取付け、前記絶縁体７はブラケット９によって前記受け縁２ａの上面に取り付けられ、前記放電電極５と前記対向電極６との間で放電火花を飛ばして前記芯４に点火する石油燃焼器において、前記放電電極５はＬ字状に折り曲げて先端を上昇した前記芯４の上端より下方に位置し、前記対向電極６は前記放電電極５の側方に取り付け、前記点火用窓孔８を貫通する水平部６ａと、該水平部６ａから上方へ伸ばして前記放電電極５の上方へ向けて湾曲した湾曲部６ｂとで構成し、該湾曲部６ｂが前記放電電極５の先端と対向するように設けると共に、前記ブラケット９には前記絶縁体７を回転可能に保持する係止部１０を備え、絶縁体７が前記ブラケット９に取り付けられた状態のまま前記放電電極５と絶縁体７とが回転すると共に、前記絶縁体７は回転を止めた位置で前記係止部１０によって保持され前記放電電極５と前記対向電極６と芯４との距離を最適距離に調整することを特徴とする。
【０００９】
また、前記絶縁体７の後部の外周面には係止面７ａを設け、前記係止部材１０は前記ブラケット９に取り付ける弾性素材からなる可動体１０ａで構成し、該可動体１０ａは弾性力によって前記係止面７ａを押圧して前記絶縁体７を前記ブラケット９に保持し、前記絶縁体７の回動時に前記可動体１０ａは係止面７ａから離開方向に変形し、絶縁体７の回転を止めた位置で前記可動体１０ａの弾性力によって前記係止面７ａを押圧して保持し、前記放電電極５の位置を固定する構成としたから、絶縁体７をブラケット９によって受け縁２ａの上面に取り付けたまま回転することができ、容易に放電電極５の位置を変更できるものである。
【００１０】
また、前記絶縁体７の外周面を多角形状に形成して前記係止面７ａを構成することで絶縁体７を一定の角度ずつ回転できるから、放電電極５の位置を微調整しやすいものである。
【発明の効果】
【００１１】
この発明は、放電電極５の外周を覆う絶縁体７をブラケット９によって受け縁２ａの上面に取り付けたまま、放電電極５と絶縁体７を回転して、放電電極５のＬ字状に折り曲げた先端の位置を変更することができるものである。対向電極６は放電電極５の側方から放電電極５の先端の上方に向けて湾曲部６ｂを構成し、放電電極５の先端と対向電極６の湾曲部６ｂとが対向して最短距離に配置され、放電電極５の先端と対向電極６の湾曲部６ｂとの間で放電火花が発生するものである。
【００１２】
そして、放電電極５を回転して先端の位置を変更すると、放電電極５の先端と対向電極６の湾曲部６ｂとが最短距離を保ったまま、芯４に対して放電電極５の先端の位置を変化させることができ、放電電極５を芯４の着火に最適な位置となるように調整することができるものとなった。
【００１３】
このため、生産ラインや芯交換時において、芯４の先端の高さ寸法を確認し、芯４の先端位置と放電電極５の位置を調整する必要があるときは、放電電極５を回転するだけでよく、芯４や電極を取り外すことなく調整することができるから、調整作業が簡略化でき、作業性、生産性の向上につながるものである。
【００１４】
また、絶縁体７の後部の外周面に係止面７ａを設け、ブラケット９には弾性素材からなる可動体１０ａを設け、可動体１０ａが弾性力によって係止面７ａを押圧することで絶縁体７をブラケット９に保持している。このため、放電電極５の位置を調整するために絶縁体７を回転すると、可動体１０ａが係止面７ａから離開する方向に変形し、絶縁体７の回転を止めると可動体１０ａは元の形状に復帰し、可動体１０ａの弾性力によって係止面７ａを押圧して絶縁体７を保持するので、放電電極５の位置を確実に固定することができる。この構成では、絶縁体７を回転するときに工具は不要であり、手で回転することができるので、調整作業が容易にできるものとなった。
【００１５】
また、絶縁体７の外周面を多角形状にして係止面７ａを構成したときは、絶縁体７が一定の角度回転するごとに抵抗が感じられるので、放電電極５の先端の角度が変化したことが確認しやすく、回転を止める位置がわかりやすくなり、放電電極５の先端を一定の角度ずつ調整できるものとなるから、調整作業が容易にできるものとなった。
【図面の簡単な説明】
【００１６】
【図１】この発明の実施例を示す石油燃焼器の点火装置の正面図である。
【図２】この発明の他の実施例を示す石油燃焼器の点火装置の上面図である。
【図３】この発明の他の実施例を示す石油燃焼器の点火装置の正面図である。
【図４】図３に示す実施例において放電電極の調整後の状態を示す正面図である。
【図５】この発明の他の実施例を示す石油燃焼器の点火装置の分解斜視図である。
【図６】この発明の点火装置を備えた石油燃焼器の要部断面図である。
【発明を実施するための形態】
【００１７】
図に示す実施例によってこの発明を説明すると、１１は燃料を貯える油タンク、１は油タンク１１の底板から形成した芯内筒、２は油タンク１１の上面に設けた芯外筒、３は芯内筒１と芯外筒２とで構成する芯収容筒、４は芯収容筒３の間隙に上下動自在に装着した芯であり、芯４の下部は油タンク１１の燃料中に伸ばされており、芯４の下部で油タンク１１の燃料を吸い上げて芯４の先端に供給する。１２は芯４を上下動するための芯上下軸であり、芯上下軸１２を回転操作すると芯４は芯収容筒３の間隙内を上下動する。
【００１８】
５は上昇した芯４の側面にのぞませて取り付けた放電電極、６は放電電極５の上方に配置した対向電極、１３は放電電極５が接続された発振回路であり、点火操作を行うと発振回路１３に電力が供給され、発振回路１３が作動して放電電極５と対向電極６との間で放電火花が発生し、芯４に点火する。
【００１９】
芯外筒２の上部は上昇した芯４との間に間隙を形成し、間隙を設けた部分は芯４よりも背を高くしており、この間隙を放電電極５と対向電極６の電極の収納部としている。８は上昇した芯４と間隙を介して対向する芯外筒２の側面に設けた点火用窓孔、２ａは芯外筒２の外側に形成した受け縁であり、受け縁２ａは点火用窓孔８よりも低い位置に取り付けている。
【００２０】
７は放電電極５の外周を覆い対向電極６とは絶縁状態を作り出す絶縁体、９は絶縁体７を受け縁２ａに固定するためのブラケット、９ａはブラケット９を受け縁２ａに取り付けるネジであり、放電電極５を点火用窓孔８に差し込んで絶縁体７を受け縁２ａの上に設置し、受け縁２ａの上に設置された絶縁体７にブラケット９を取り付け、ネジ９ａを装着してブラケット９を受け縁２ａに固定すると、放電電極５が固定される。このとき絶縁体７が点火用窓孔８と嵌合して、放電電極５が芯外筒２や対向電極６と導通しないようになっている。
【００２１】
２ｂは芯外筒２の上部に連続する外炎筒受け、１４は芯内筒１の上部に配置した内炎筒、１５は芯外筒２の外炎筒受け２ｂの上に配置した外炎筒であり、芯上下装置によって芯４を上昇して先端を芯収容筒３の上方に突出させ、点火操作を行って放電電極５と対向電極６との間で放電が行われると芯４の先端に供給された燃料に着火して燃焼を開始し、発生する燃焼炎と燃焼ガスは内炎筒１４と外炎筒１５の間の間隙に送られる。そして、芯内筒１の内部空間を上昇して内炎筒１４内に流入して間隙に供給される空気と、外炎筒１５の外部から間隙に供給される空気とが、芯４から気化した燃料と混合して燃焼を完了する。そして、消火時は芯４を下方に下げて芯４を芯収容筒３内に収容すると消火する。
【００２２】
この発明の実施例では、放電電極５と対向電極６とがブラケット９に取り付けられた電極体を構成し、この電極体を受け縁２ａに取り付けるようにしている。放電電極５と対向電極６を点火用窓孔８から差し込んで絶縁体７とブラケット９を受け縁２ａの上に配置し、ブラケット９にネジ９ａを取り付けて受け縁２ａに固定すると、放電電極５と対向電極６を芯４の側面に取り付けることができる。１６は放電電極５の絶縁体７の先端と対向電極６を貫通させた点火蓋であり、電極体を取り付けたときに点火蓋１６が点火用窓孔８を塞ぐようにして、不必要な空気が供給されないようにしている。
【００２３】
電極体は放電電極５と対向電極６との距離が最適位置となるように予め調整されており、電極体を受け縁２ａに取り付けたときに放電電極５と対向電極６の位置が決定するので、電極間の調整は不要であり、放電電極５と対向電極６の取り付けが簡単になる。
【００２４】
放電電極５はＬ字状に形成して先端を上方に向けており、放電電極５の先端は上昇した芯４の先端よりも下方に位置している。一方、対向電極６は放電電極５よりも高い位置に配置し、放電電極５の先端と対向電極６とが最短距離となるように対向している。
放電電極５は芯４の側面に接触するか、わずかに埋るように配置されており、放電電極５の先端と対向電極６との間で放電火花が発生すると、放電電極５の上方の芯４の燃料に着火することができる。
【００２５】
芯４はガラス繊維の糸で構成されているため芯４の長さにバラツキがあり、芯収容筒３の上方に突出させた芯４の先端位置は、わずかではあるが誤差が生じることがある。芯４が長く先端位置が高いときは、炎が長く伸び燃焼状態が悪化する。一方、芯４の先端位置が放電電極５の先端位置より低いときには、放電電極５の先端が芯４の側面と接触しないため、放電電極５の先端と対向電極６との間で放電火花が発生しても、芯４の燃料に着火することができなくなってしまう。このような場合には、芯４と電極の位置の調整が必要であり、芯４が長く先端位置が高いときは、芯４の先端を切断して高さを合わせることで調整できるが、芯４が短く先端位置が低いときは、芯４や電極体を取り付け直したり、交換が必要になったりして、調整に手間がかかることがあった。
【００２６】
この発明は、芯４と放電電極５と対向電極６との距離が最適寸法となるように調整するときに、芯４や電極体を取り外すことなく調整が行えるようにして、調整作業の簡略化を実現したものであり、９ｂはブラケット９の中央に形成した絶縁体７の後部が嵌合する保持部、９ｃは保持部９ｂの両側部に形成した受け縁２ａへの取付け片、１０はブラケット９に取り付けた絶縁体７を保持するための係止部材であり、絶縁体７をブラケット９の保持部９ｂに取り付け、係止部材１０をブラケット９に係合すると、絶縁体７が保持部９ｂと係止部材１０とによって保持される。
【００２７】
絶縁体７は外周面を円形にしておくことで、係止部材１０によって保持部９ｂ内に保持された状態のままブラケット９内に回転可能に取り付けることができ、放電電極５の先端が絶縁体７を中心に回転することができるようになっている。
【００２８】
対向電極６は放電電極５の側方に位置するブラケット９の側面に取り付けられており、点火用窓孔８を貫通して芯４の側面に向けて水平部６ａを形成し、水平部６ａは芯４とは接触しない位置で上方に向けて折り曲げて湾曲部６ｂを形成している。湾曲部６ｂは放電電極５の側方から上方に伸ばしてから放電電極５の先端の上方に向かって湾曲し、放電電極５の回転中心を中心とする同心円状に形成している。放電電極５の先端と対向電極６の湾曲部６ｂの内側の湾曲面とが最短距離となるように対向しており、放電電極５の先端と対向電極６の湾曲部６ｂとの間で放電火花が発生する。
【００２９】
放電電極５と対向電極６とブラケット９とによって構成された電極体は、放電電極５と対向電極６を点火用窓孔８から差し込んでブラケット９を受け縁２ａの上に設置し、取付け片９ｃにネジ９ａを装着して電極体を受け縁２ａに固定する。このときの放電電極５は先端が１２時の方向を向いており、上昇した芯４の側面に接触するか少し埋まる位置で、放電電極５の先端が上昇した芯４の先端よりも下方に位置するようになっている。
【００３０】
芯４の高さ寸法に誤差が生じて芯４が短くなると、上昇した芯４の先端位置が放電電極５の先端位置より低くなってしまうことがあり、放電電極５の先端が芯４の側面と接触しなくなる。この発明では、電極体を受け縁２ａに取り付けたまま絶縁体７がブラケット９の保持部９ｂ内で回転できるようになっているから、放電電極５の先端位置を対向電極６の水平部６ａ側に向けて回転することで、放電電極５の先端位置を対向電極６の湾曲部６ｂとが最短距離を維持したまま放電電極５の先端の角度が変更され、放電電極５の先端の高さを変更できる。
【００３１】
そして、放電電極５の先端が芯４の先端位置よりも下方に位置したところで回転を止めれば、放電電極５の先端を芯４の側面に接触させることができる。放電電極５の先端が斜め上方を向いていても、放電電極５の先端と対向電極６の湾曲部６ｂとが最短距離で対向しているので、放電電極５の先端と対向電極６の湾曲部６ｂとの間で放電火花が発生し、芯４の燃料に着火することができるものとなった。
【００３２】
このため、芯４の先端位置と放電電極５の先端位置の高さが合わないときでも、芯４や電極体を取り外すことなく位置を調整できるものとなり、調整作業が簡略化できた。また、放電電極５の先端の角度を変更するだけであり、位置を確認しながら調整ができるから、作業性が向上できた。
【００３３】
具体的な構造を示す図３、図４において、１０ａは係止部材１０を構成する弾性素材からなる可動体、９ｄはブラケット９に設けた可動体１０ａとの係合部、７ａは絶縁体７の後部の外周面に設けた係止面、７ｂは係止面７ａに対し縮径した係止溝であり、絶縁体７をブラケット９の保持部９ｂに取り付け、可動体１０ａを変形しながらブラケット９の係合部９ｄに差し込むと、可動体１０ａが絶縁体７の係止面７ａを押圧し、可動体１０ａの弾性力が絶縁体７をブラケット９の保持部９ｂに押す方向に働くので、絶縁体７の係止面７ａが保持部９ｂに押圧され、絶縁体７がブラケット９に保持されて放電電極５を固定することができる。また、可動体１０ａが係止溝７ｂに係合することで絶縁体７の前後方向の移動が阻止され、放電電極５の前後方向の位置決めを同時に行うことができる。
【００３４】
ブラケット９に取り付けられた絶縁体７を回転するときは、弾性素材である可動体１０ａが係止面７ａから離開する方向に変形することで回転が可能であり、希望する位置で絶縁体７の回転を止めると、可動体１０ａが元の形状に復元して絶縁体７の係止面７ａを押圧するので絶縁体７を保持することができる。
【００３５】
この構成では、作業者は放電電極５と絶縁体７を手で回転させることができ、調整のための特別な工具など用意する必要がなく、調整作業が容易に行えるものである。また、弾性素材である可動体１０ａによって絶縁体７を確実に保持して放電電極５の位置を固定することができる。
【００３６】
また、この発明の他の実施例では、絶縁体７の外周面を多角形にしたものであり、多角形の面によって係止面７ａを構成している。係止溝７ｂは必ずしも多角形でなくてもよく、円形でもよい。絶縁体７は多角形の面の部分で保持部９ｂに押圧されてブラケット９に保持されており、絶縁体７を回転すると、多角形の角の部分が保持部９ｂにあたるときに可動体１０ａを変形させながら絶縁体７が保持部９ｂから離開する方向に移動し、角の部分を越えて隣の面に移動すると可動体１０ａが元の形状に戻り、絶縁体７は多角形の面の部分で保持部９ｂに押圧される。このため、絶縁体７を一定の角度回転するごとに抵抗が変化するのでクリック感が得られ、放電電極５の先端の角度が変化したことが確認しやすくなり、絶縁体７の回転を止める位置がわかりやすく、調整作業が容易にできるものとなる。
【符号の説明】
【００３７】
１    芯内筒
２    芯外筒
２ａ  受け縁
３    芯収容筒
４    芯
５    放電電極
６    対向電極
６ａ  水平部
６ｂ  湾曲部
７    絶縁体
７ａ  係止面
８    点火用窓孔
９    ブラケット
１０    係止部材
１０ａ  可動体
【図１】
2015040648.tif 000003
【図２】
2015040648.tif 000004
【図３】
2015040648.tif 000005
【図４】
2015040648.tif 000006
【図５】
2015040648.tif 000007
【図６】
2015040648.tif 000008